(57)【要約】【課題】映像監視装置において、侵入者よってレンズに塗料を吹き付けられたり、布等の覆いを被せられるような妨害行為があっても、妨害を排除することができる映像監視装置を提供する。【解決手段】開口部を有する筐体と、前記筐体に保持され当該筐体の前方にある監視対象物を撮影する撮影部と、前記撮影部による撮影が妨害されたか否かを監視し撮影が妨害されたと判別した場合に妨害判別信号を出力する妨害判別部と、前記筐体の開口部の一端に開閉自在に軸支され他端に前記筐体と係合する係合部を備えるカバーと、棒状を成し前記筐体の内部から前方へスライド可能に保持された棒部と、前記棒部をスライドさせる駆動部と、前記妨害判別部から出力された妨害判別信号を受け前記棒部が前記筐体の前方へ予め定めた第１の距離だけスライドするよう前記駆動部を制御する制御部とを備える。【選択図】      図２
2004295749.tif 000002
【特許請求の範囲】
【請求項１】
映像により監視を行う映像監視装置において、
開口部を有する筐体と、前記筐体に保持され当該筐体の前方にある監視対象物を撮影する撮影部と、前記撮影部による撮影が妨害されたか否かを監視し撮影が妨害されたと判別した場合に妨害判別信号を出力する妨害判別部と、前記筐体の開口部の一端に開閉自在に軸支され他端に前記筐体と係合する係合部を備えるカバーと、棒状を成し前記筐体の内部から前方へスライド可能に保持された棒部と、前記棒部をスライドさせる駆動部と、前記妨害判別部から出力された妨害判別信号を受け前記棒部が前記筐体の前方へ予め定めた第１の距離だけスライドするよう前記駆動部を制御する制御部とを備えることを特徴とする映像監視装置。
【請求項２】
請求項１記載の映像監視装置において、
時間情報を出力する時計部を備え、
前記制御部は、妨害判別部が出力する判別信号と前記時計部が出力する時間情報に基づいて、前記前記駆動部が前記棒部を予め定めた第１の距離だけスライドしてから予め定めた時間経過した後に妨害判別部から妨害判別信号が出力されたとき更に予め定めた第２の距離だけ前記筐体の前方へ前記棒部をスライドするよう前記駆動部を制御することを特徴とする映像監視装置。
【発明の詳細な説明】
【０００１】
【発明の属する技術分野】
本発明は、侵入者の有無や物品の監視をする監視カメラ装置や防犯カメラ装置等の映像監視装置に関する。
【０００２】
【従来の技術】
従来、室内に監視カメラ装置を固定し、室内に備えた物品の盗難や侵入者の有無を監視する映像監視装置が知られている。
図６は、従来の映像監視装置を示す側面図である。
映像監視装置１００は、撮影部２、映像信号処理部３、映像信号出力部４、筐体９、ブラケット１５及び制御部５００を備える。
映像監視装置１００は、導電ワイヤー１６によって図示しないモニター装置に接続されている。
【０００３】
筐体９は、前方が開口した箱形を成し、ブラケット１５によって室内の天井２０に固定される。撮影部２は、前面にレンズ２０１を備え、レンズ２０１を通して入射した光を図示しない光電変換素子により電気信号に変換し、当該電気信号を映像信号として出力する。映像信号処理部３は、撮影部２が出力した映像信号の輝度信号及び色信号を検出し、輝度補正及び色補正等の処理を施し、処理を施した映像信号を映像信号出力部４へ出力する。
【０００４】
映像信号出力部４は、映像信号処理部３が出力した映像信号を導電ワイヤー１６を介してモニター装置へ出力する。制御部５００は、撮影部２、映像信号処理部３及び映像信号出力部４の制御をする。モニター装置は、映像信号出力部４が出力した映像信号を表示する。
【０００５】
以上の構成により、映像監視装置１００は、室内を撮影した映像信号をモニター装置へ出力することにより、室内の物品の盗難や侵入者の有無を監視することができる。
【０００６】
このような映像監視装置に、侵入者がスプレーにより塗料をレンズに吹き付けたり、映像監視装置の前方に布等の覆いを被せて映像監視装置の撮影を妨害することがある。これらの妨害を検知する装置として、映像監視装置の左右に複数の補助照明を備え、映像監視装置が撮影した映像信号の輝度の変化によって、覆いが被されたか否かを判別し、覆いが被せられたと判別した場合に警報を発する映像監視装置（例えば、特許文献１参照。）、監視画像と背景画像の同一画素の輝度差分を検出し、この輝度差分が所定値以上に変化し、且つ、監視画像のエッジブロック画像と背景画像のエッジブロック画像の相関度が所定値以下となったとき、妨害行為が行われたと判別し、警報を発する映像監視装置（例えば、特許文献２参照。）がある。
【０００７】
このような、妨害行為があったことを判別し、警報を発する映像監視装置を用いることによって、例えば、映像監視装置に対し妨害行為があった場合、当該映像監視装置から出力された警報を他の場所にあるモニター装置に表示する構成とすることにより、他の部屋のモニター装置によって妨害行為があったことを認識し、警報を受けた警備員が妨害行為のあった場所に駆けつけることができる。
【０００８】
【特許文献１】
特開２００２−３４４９４８号公報
【０００９】
【特許文献２】
特開２００２−３０４６７７号公報
【００１０】
【発明が解決しようとする課題】
前述したような、妨害行為があったことを判別し、警報をモニター装置に出力する映像監視装置は、モニター装置が設置してある部屋が映像監視装置を設置した部屋から離れている場合、侵入者による映像監視装置への妨害行為が行われたときから警備員が妨害行為のあった場所に到着するまでの間、映像監視装置のレンズが塗料や布などで覆われているため、侵入者の姿を撮影することができない。このため、警備員が到着するまでの間に侵入者が逃亡してしまった場合、侵入者を特定することが困難となってしまう。
【００１１】
本発明は、映像監視装置において、侵入者よってレンズに塗料を吹き付けられたり、布等の覆いを被せられるような妨害行為があっても、妨害を排除することができる映像監視装置を提供することを目的とする。
【００１２】
【課題を解決するための手段】
本願の請求項１記載の発明は、映像により監視を行う映像監視装置において、開口部を有する筐体と、前記筐体に保持され当該筐体の前方にある監視対象物を撮影する撮影部と、前記撮影部による撮影が妨害されたか否かを監視し撮影が妨害されたと判別した場合に妨害判別信号を出力する妨害判別部と、前記筐体の開口部の一端に開閉自在に軸支され他端に前記筐体と係合する係合部を備えるカバーと、棒状を成し前記筐体の内部から前方へスライド可能に保持された棒部と、前記棒部をスライドさせる駆動部と、前記妨害判別部から出力された妨害判別信号を受け前記棒部が前記筐体の前方へ予め定めた第１の距離だけスライドするよう前記駆動部を制御する制御部とを備えることを特徴とする。
【００１３】
また、本願の請求項２記載の発明は、請求項１記載の映像監視装置において、時間情報を出力する時計部を備え、前記制御部は、妨害判別部が出力する判別信号と前記時計部が出力する時間情報に基づいて、前記前記駆動部が前記棒部を予め定めた第１の距離だけスライドしてから予め定めた時間経過した後に妨害判別部から妨害判別信号が出力されたとき更に予め定めた第２の距離だけ前記筐体の前方へ前記棒部をスライドするよう前記駆動部を制御することを特徴とする。
【００１４】
【発明の実施の形態】
本発明の実施の形態を図面を参照して説明する。なお、従来技術で示した構成要素と同一の部分については同符号を用いる。
【００１５】
図１は、本発明の映像監視装置の一実施例の構成を示すブロック図である。
映像監視装置１は、撮影部２、映像信号処理部３、映像信号出力部４、制御部５、妨害判別部６、時計部７及び駆動部８を備える。
【００１６】
図２は、本実施例の映像監視装置の構成を示す図で、図２（ａ）は正面図、図２（ｂ）は図２（ａ）の側面図である。
映像監視装置１は、筐体９、カバー１０、棒部１２及びヒンジ１０１を備える。映像監視装置１は、導電ワイヤー１６によって図示しないモニター装置に接続されている。
【００１７】
撮影部２は、前面にレンズ２０１を備え、レンズ２０１を通して入射した光を図示しない光電変換素子により電気信号に変換し、当該電気信号を映像信号として出力する。映像信号処理部３は、撮影部２が出力した映像信号の輝度信号及び色信号を検出し、輝度補正及び色補正等の処理を施し、処理を施した映像信号を映像信号出力部４へ出力する。
【００１８】
映像信号出力部４は、映像信号処理部３が出力した映像信号を導電ワイヤー１６を介してモニター装置へ出力する。モニター装置は、映像信号出力部４が出力した映像信号を表示する。
【００１９】
時計部７は、水晶発振回路を備え、当該水晶発振回路から予め定めた一定間隔のパルス信号を制御部５へ出力する。
【００２０】
妨害判別部６は、映像信号処理部３によって検出した輝度信号及び色信号に基づいて、撮影を妨害する行為があったか否かを判別し、妨害行為があったと判別すると妨害判別信号を制御部５へ出力する。この妨害行為を判別する構成については、従来と同様の技術を用いることとし、説明を省略する。
【００２１】
筐体９は、前方が開口した箱形を成し、ブラケット１５によって室内の天井２０に固定される。カバー１０は、透明なアクリルやＡＢＳ（Ａｃｒｙｌｏｎｉｔｏｒｉｌｅ  Ｂｕｔａｄｉｅｎｅ  Ｓｔｙｒｅｎｅ）等の樹脂から成り、半球型を成す。カバー１０は、上端に上方へ突出する凸部１０３を備える。
【００２２】
ヒンジ１０１は、筐体９の前方の下辺に固定され、カバー１０の下端を軸支する。カバー１０は、ヒンジ１０１によって、筐体９の前方を開閉自在に回動する。カバー１０は、上方の内壁に爪部１０２を備える。筐体９の前方の上端には、薄い鋼材から成りカバー１０の爪部１０２と係合する凹部９０２を備えるカバー保持部９０１が固定されている。カバー１０は、爪部１０２がカバー保持部９０１の凹部９０２に係合することにより、筐体９の前面を塞ぐ。カバー１０は、前述した状態から前方へ押圧されると、爪部１０２がカバー保持部９０１の凹部９０２から離脱し、ヒンジ１０１を軸に筐体９の前方を回動し、筐体９の前面を開口する。
【００２３】
棒部１２は、細長い直方体を成し、筐体９の内壁に備える棒保持部９０３によって筐体９の前後方向にスライド可能に保持される。駆動部８は、モータ８０１を備え、制御部５の制御によりモータ８０１を回転させることにより棒部１２を前後方向にスライドさせる。
【００２４】
制御部５は、妨害判別部６から妨害判別信号が出力されると、警報信号をモニター装置へ出力するよう映像信号出力部４を制御する。また、制御部５は、妨害判別部６から妨害判別信号が出力されると、予め定めた第１の距離だけ棒部１２を前方へスライドさせるよう駆動部８を制御する。棒部１２が駆動部８によりスライドする第１の距離は、棒部１２の先端からカバー１０の内壁までの距離より長い。
【００２５】
制御部５は、時計部７から出力される時間情報に基づいて、前述した棒部１２をスライドさせるよう制御してから予め定めた時間が経過しても妨害判別部６から妨害判別信号が出力されている場合、更に予め定めた第２の距離だけ棒部１２を前方へスライドさせるよう駆動部８を制御する。
【００２６】
図３は、本実施例の映像監視装置を示す側面図で、図３（ａ）は前方から塗料が吹き付けられた状態を示す図、図３（ｂ）は、図３（ａ）の状態から筐体９の前方を開口した状態を示す図である。
【００２７】
映像監視装置１により監視をしているとき、図３（ａ）に示すように、侵入者がスプレー２１によって塗料２２をカバー１０に吹き付け、カバー１０の表面に塗料２２が付着すると、レンズ２０１の前方の視界が遮られる。妨害判別部６は、レンズ２０１の前方の視界が遮られると妨害判別信号を出力する。妨害判別部６から妨害判別信号が出力されると、モータ８０１は、制御部５の制御により予め定めた第１の距離だけ棒部１２を前方へスライドさせる。棒部１２は、モータ８０１により前方へスライドし、カバー１０の内壁に当接しても更にカバー１０を前方へ押圧する。
【００２８】
カバー１０は、棒部１２の押圧により、爪部１０２がカバー保持部９０１の凹部９０２から離脱し、図３（ｂ）に示すように、ヒンジ１０１を軸に下方へ回動する。
【００２９】
塗料２２が付着したカバー１０が下方へ回動することにより、塗料２２に付着したカバー１０がレンズ２０１の前方の視界から外れた位置に移動する。
【００３０】
図４は、本実施例の映像監視装置を示す側面図で、図４（ａ）は映像監視装置１に布２３が被せられた状態を示す図、図４（ｂ）は、図４（ａ）の状態から筐体９の前方を開口した状態を示す図である。
【００３１】
映像監視装置１により室内の監視をしているとき、図４（ａ）に示すように、侵入者によって映像監視装置１へ布２３が被せられると、布２３によりレンズ２０１の前方の視界が遮られる。布２３によりレンズ２０１の前方の視界が遮られることにより、妨害判別部６は妨害判別信号を出力する。妨害判別部６から妨害判別信号が出力されると、モータ８０１は、制御部５の制御により予め定めた第１の距離だけ棒部１２を前方へスライドさせる。棒部１２は、前方へスライドすることによりカバー１０の内壁を前方へ押圧する。
【００３２】
カバー１０は、凸部１０３により布２３を掛架したまま、図４（ｂ）に示すように、布２３と共にヒンジ１０１を軸に下方へ回動する。
【００３３】
カバー１０が凸部１０３に布２３を掛架したまま布２３と共に下方へ回動することにより、レンズ２０１の前方の視界を遮っていた布２３が除去される。
【００３４】
図５は、本実施例の映像監視装置を示す側面図で、図５（ａ）は映像監視装置１へ布２３が被せられた状態からヒンジ１０１を軸にカバー１０を下方に回動した状態を示す図、図５（ｂ）は、図５（ａ）の状態から更に棒部１２を前方へスライドした状態を示す図である。
【００３５】
映像監視装置１により室内の監視をしているとき、侵入者により映像監視装置１へ布２３が被せられ、レンズ２０１の前方の視界が遮られた場合、図４（ｂ）に示すように、カバー１０がヒンジ１０１を軸に下方へ回動しても、図５（ａ）に示すように、布２３が筐体９に被さったままの状態となることが考えられる。
【００３６】
制御部５は、時計部７から出力されるパルス信号に基づいて、棒部１２を予め定めた第１の距離だけ前方にスライドさせるよう制御してから予め定めた時間が経過しても妨害判別部６から妨害判別信号が出力されている場合、予め定めた第２の距離だけ更に棒部１２を前方へスライドさせるよう駆動部８を制御する。駆動部８は、図５（ｂ）に示すように、制御部５の制御により棒部１２を更に前方へスライドさせる。棒部１２が前方へスライドすることにより、筐体９に被さっていた布２３の背面を棒部１２が押圧することにより、筐体９から布２３を除去する。
【００３７】
以上の構成により、本実施例の映像監視装置は、侵入者によって塗料を吹き付けられた場合は、塗料２２が付着したカバー１０を下方へ移動し、また、映像監視装置の前方に布等の覆いを被せられた場合は、凸部１０３により布２３を掛架した状態のままカバー１０を下方へ移動することにより、レンズ２０１の前方の視界の妨害を解除し、撮影部２による映像の撮影を再開することができる。また、カバー１０を下方へ移動してもなお、布２３によって前方が覆われている場合でも、棒部１２を更に前方へスライドさせ、棒部１２によって布２３を掛架して除去する。
【００３８】
これにより、侵入者による映像監視装置への妨害行為があったときから警備員が妨害のあった場所に到着するまでの間、侵入者を撮影することができる。よって、警備員が駆けつけるまでの間に侵入者が逃亡した場合でも、侵入者を特定することが可能になる。
【００３９】
また、例えば、侵入者によって映像監視装置に布２３が被せられた後、棒部１２が予め定めた第１の距離だけスライドし、カバー１０が開口して布２３が映像監視装置から除去されたことを侵入者に発見され、すぐに侵入者が再度、映像監視装置１へ布２３を被せた場合でも、予め定めた時間経過後に、棒部１２が予め定めた第２の距離だけ更に前方へスライドして布２３を除去することができる。
【００４０】
【発明の効果】
本発明によれば、映像監視装置において、侵入者よってレンズに塗料を吹き付けられたり、布等の覆いを被せられるような妨害行為があっても、妨害を排除することができる映像監視装置を提供することができる映像監視装置を提供することができる。
【図面の簡単な説明】
【図１】本発明の映像監視装置の一実施例の構成を示すブロック図。
【図２】本実施例の映像監視装置の構成を示す図で、図２（ａ）は正面図、図２（ｂ）は図２（ａ）の側面図。
【図３】本実施例の映像監視装置を示す側面図で、図３（ａ）は前方から塗料が吹き付けられた状態を示す図、図３（ｂ）は、図３（ａ）の状態から筐体９の前方を開口した状態を示す図。
【図４】本実施例の映像監視装置を示す側面図で、図４（ａ）は映像監視装置１に布２３が被せられた状態を示す図、図４（ｂ）は、図４（ａ）の状態から筐体９の前方を開口した状態を示す図。
【図５】本実施例の映像監視装置を示す側面図で、図５（ａ）は映像監視装置１へ布２３が被せられた状態からヒンジ１０１を軸にカバー１０を下方に回動した状態を示す図、図５（ｂ）は、図５（ａ）の状態から更に棒部１２を前方へスライドした状態を示す図。
【図６】従来の映像監視装置を示す側面図。
【符号の説明】
１  映像監視装置、２  撮影部、２０１  レンズ、３  映像信号処理部、
４  映像信号出力部、５  制御部、６  妨害判別部、７  時計部、
８  駆動部、８０１  モータ、
９  筐体、９０１  カバー保持部、９０２  凹部、９０３  棒保持部
１０  カバー、１０１  ヒンジ、１０２  爪部、１０３  凸部、
１２  棒部、１５  ブラケット、１６  導電ワイヤー、２０  天井、
２１  スプレー、２２  塗料、２３  布
１００  映像監視装置、５００  制御部
【図１】
2004295749.tif 000003
【図２】
2004295749.tif 000004
【図３】
2004295749.tif 000005
【図４】
2004295749.tif 000006
【図５】
2004295749.tif 000007
【図６】
2004295749.tif 000008